(57)【要約】【課題】有効な治療効果を確保しつつ、取り扱いが容易で、かつ、治療器周りもすっきりと整理・整頓可能な点電極シートを提供する【解決手段】ゴム製のバックシート２と、リード線２１と複数個の電極線５が取り付けられた電極プレート３と、人工皮革製のベースシート４と、を重ね合わせる。ベースシート４上には、合成樹脂製の半球突起６が取り付けられる。電極線５は二重線状となっており、Ｌ字形に形成される。電極線５の下辺部５ａは電極プレート３にハンダ付けされ、縦辺部５ｂは、貫通孔１１ａ,１３を介して半球突起６の電極取付孔１４内に延伸している。電極線５は、使用者の肌に直接触れる部分が円形となるように、半球突起６の頂部から突出した部位はＵ字形となっている。【選択図】図３
0003171499.tif 000002
【実用新案登録請求の範囲】
【請求項１】
絶縁材にて形成された平面状のバックシートと、
前記バックシート上に配置される導電性の電極プレートと、
前記電極プレートに電気的に接続されるリード線と、
前記バックシート上に、前記電極プレートを覆うように取り付けられる絶縁性のベースシートと、
前記電極プレートに取り付けられ、前記ベースシートを貫通して該ベースシートの外側に延びる複数個の電極線と、
前記ベースシート上に取り付けられ、前記電極線が収容されると共に、その頂部から前記電極線が突出する複数個の絶縁性の突起部材と、を有することを特徴とする点電極シート。
【請求項２】
絶縁材にて形成された平面状のバックシートと、
前記バックシート上に互いに電気的に絶縁された状態で配置され、導電性の正極及び負極の各電極プレートと、
前記各電極プレートに電気的に接続されるリード線と、
前記バックシート上に、前記両電極プレートを覆うように取り付けられる絶縁性のベースシートと、
前記電極プレートに取り付けられ、前記ベースシートを貫通して該ベースシートの外側に延びる複数個の電極線と、
前記ベースシート上に取り付けられ、前記電極線が収容されると共に、その頂部から前記電極線が突出する複数個の絶縁性の突起部材と、を有することを特徴とする点電極シート。
【請求項３】
請求項１又は２記載の点電極シートにおいて、前記電極線はＬ字形に形成され、前記電極プレートと電気的に接続された状態で固定されることを特徴とする点電極シート。
【請求項４】
請求項３記載の点電極シートにおいて、前記電極線は二重線状に形成され、前記突起部材から突出した部分がＵ字形となることを特徴とする点電極シート。
【請求項５】
請求項４記載の点電極シートにおいて、前記電極線は、前記電極プレートに固定される部分は単線に形成される一方、前記突起部材内に収容される部分と前記突起部材から突出する部分が二重線状に形成され、前記電極線の端部が前記突起部材内に収容されることを特徴とする点電極シート。
【請求項６】
請求項３〜５の何れか１項に記載の点電極シートにおいて、前記電極プレートは、電極線が挿通される貫通孔を有し、前記電極線は縦辺部が前記貫通孔に挿通されると共に、下辺部が前記電極プレートの前記バックシート側の面に固定されることを特徴とする点電極シート。
【請求項７】
請求項１〜６の何れか１項に記載の点電極シートにおいて、前記ベースシートは、前記電極線が挿通される貫通孔を複数個備え、前記突起部材は、前記ベースシートの前記貫通孔上に配置されると共に、該貫通孔と連通する電極取付孔が上下方向に貫通形成されてなることを特徴とする点電極シート。
【請求項８】
請求項１〜７の何れか１項に記載の点電極シートにおいて、前記突起部材は、半球状に形成されてなることを特徴とする点電極シート。
【請求項９】
請求項１〜８の何れか１項に記載の点電極シートにおいて、前記バックシートはゴムにて形成されることを特徴とする点電極シート。
【請求項１０】
請求項１〜９の何れか１項に記載の点電極シートにおいて、前記ベースシートは人工皮革又はゴムにて形成されることを特徴とする点電極シート。
【考案の詳細な説明】
【技術分野】
【０００１】
本考案は、低周波治療器等に使用される点電極部材に関し、特に、球状の点電極を複数個配置した点電極シートに関する。
【背景技術】
【０００２】
従来より、人体の軟部組織損傷や運動記の疲労性炎症によって生じる疼痛を軽減、消退させるため、低周波電流を人体に流すいわゆる低周波治療が広く行われている。このような低周波治療では、人体表面（一般に皮膚）に正極・負極の電極を貼付し、それらの間にコントローラから低周波電流を供給する。電極間には微弱な低周波電流が流れ、これにより、電極間の筋肉が収縮して血行が改善され、新陳代謝が活発化し、体のコリや痛みが緩和される。
【０００３】
従来、このような低周波治療器では、平面的な絶縁基材に金属線を配した構成の電極が使用されている。かかる電極は点電極とも呼ばれ、一般に、直径が１０mm程度の円形に形成されている。点電極の中央には金属電極が配置されており、金属電極は、一面側（使用者の皮膚に接する側の面）から０.５ｍｍ程度突出している。また、金属電極は、他面側から２〜３ｍｍ程度突出しており、そこにワニ口クリップを装着できるようになっている。
【０００４】
点電極は、一面側を人体に向ける形で配置され、サージカルテープにより、皮膚上に固定される。このとき、他面側の金属電極は、サージカルテープを突き抜け、テープ上に突出する。テープ上に突出した金属電極には、ワニ口クリップにより、リード線が接続される。このような点電極は、若干離して（３０〜１００mm程度）２個配置され、一方の点電極は正極（＋）、他方の点電極は負極（−）となる。両極間には、リード線を介して、低周波治療器（コントローラ）から低周波電流が供給され、所望の低周波治療が行われる。
【先行技術文献】
【特許文献】
【０００５】
【特許文献１】特開2002-233564号公報
【特許文献２】特開平11-47284号公報
【特許文献３】実用新案登録第3042015号公報
【考案の概要】
【考案が解決しようとする課題】
【０００６】
しかしながら、このような従来の点電極は、金属電極が１個となっており、２個一対で使用されるため、供給電流量が小さいという問題があった。このため、有効な治療結果を得るべく、複数個の点電極を使用せざるを得ない場合も多く、かかる場合、多数の点電極を１つずつ着脱するという煩雑な作業が必要となる。また、リード線の数も多くなり、点電極が取り扱いづらい上に、治療器周りが雑然としてしまうという問題もあった。
【０００７】
さらに、従来の点電極は平面的な構成であり、しかも、切断した丸線材を金属電極として使用しているため、点電極を皮膚に装着すると、その際に皮膚に刺すような痛みが走り、使用者に不快感を与える場合がある。また、装着後に点電極が動いたり、ずれたりすると、皮膚に痛みを感じるのみならず、電極によって擦り傷や切り傷が生じるおそれもあった。
【０００８】
本考案の目的は、有効な治療効果を確保しつつ、取り扱いが容易で、かつ、治療器周りもすっきりと整理・整頓可能な点電極シートを提供することにある。
【課題を解決するための手段】
【０００９】
本考案の点電極シートは、絶縁材にて形成された平面状のバックシートと、前記バックシート上に配置される導電性の電極プレートと、前記電極プレートに電気的に接続されるリード線と、前記バックシート上に、前記電極プレートを覆うように取り付けられる絶縁性のベースシートと、前記電極プレートに取り付けられ、前記ベースシートを貫通して該ベースシートの外側に延びる複数個の電極線と、前記ベースシート上に取り付けられ、前記電極線が収容されると共に、その頂部から前記電極線が突出する複数個の絶縁性の突起部材と、を有することを特徴とする。
【００１０】
また、本考案の他の点電極シートは、絶縁材にて形成された平面状のバックシートと、前記バックシート上に互いに電気的に絶縁された状態で配置され、導電性の正極及び負極の各電極プレートと、前記各電極プレートに電気的に接続されるリード線と、前記バックシート上に、前記両電極プレートを覆うように取り付けられる絶縁性のベースシートと、前記電極プレートに取り付けられ、前記ベースシートを貫通して該ベースシートの外側に延びる複数個の電極線と、前記ベースシート上に取り付けられ、前記電極線が収容されると共に、その頂部から前記電極線が突出する複数個の絶縁性の突起部材と、を有することを特徴とする。
【００１１】
本考案にあっては、複数個の電極線を１つのシート内に一体的に配置しているため、点電極シートを１個取り付ければ、複数個の電極線により、各種治療に必要十分な電流量を確保できる。このため、患者に取り付ける点電極シートを少なくすることができ、多数の点電極を１つずつ着脱するという煩雑な作業が不要となる。また、リード線の数も集約されるため、点電極の取り扱いが容易となり、治療器周りもスッキリと整理・整頓される。
【００１２】
前記点電極シートにおいて、前記電極線をＬ字形に形成し、前記電極プレートと電気的に接続された状態で固定しても良い。また、前記電極線を二重線状に形成し、前記突起部材から突出した部分をＵ字形としても良く、その場合、前記電極線のうち前記突起部材内に収容された部分と前記突起部材から突出した部分を二重線状に形成して、前記電極線の端部を前記突起部材内に収容する一方、前記電極プレートに固定される部分を単線に形成しても良い。さらに、前記電極プレートに電極線が挿通される貫通孔を設け、前記電極線の縦辺部を前記貫通孔に挿通すると共に、その下辺部を前記電極プレートの前記バックシート側の面に固定するようにしても良い。
【００１３】
加えて、前記ベースシートに前記電極線が挿通される貫通孔を複数個設け、この貫通孔上に前記突起部材を配置すると共に、突起部材に該貫通孔と連通する電極取付孔を上下方向に貫通形成しても良い。また、前記突起部材を半球状に形成しても良い。
【００１４】
一方、前記バックシートをゴムにて形成しても良く、前記ベースシートを人工皮革又はゴムにて形成しても良い。
【考案の効果】
【００１５】
本考案の点電極シートによれば、平面状の絶縁性バックシートと、複数個の電極線を取り付けた導電性電極プレートと、平面状の絶縁性ベースシートと、を重ね合わせ、ベースシート上に取り付けた突起部材の頂部から電極線を突出させるようにしたので、複数個の電極線を１つのシート内に一体的に配置でき、点電極シートを１個取り付ければ、複数個の電極線により、各種治療に必要十分な電流量を確保できる。このため、患者に取り付ける点電極シートを少なくすることができ、多数の点電極を１つずつ着脱するという煩雑な作業が不要となる。また、リード線の数も集約されるため、点電極の取り扱いが容易となり、治療器周りもスッキリと整理・整頓される。
【図面の簡単な説明】
【００１６】
【図１】本考案の実施例１である点電極シートの構成を示す斜視図である。
【図２】図１の点電極シートの断面図である。
【図３】図１の点電極シートの分解斜視図である。
【図４】本発明の点電極シートの使用例を示す説明図である。
【図５】（ａ）はバックシート、（ｂ）は電極プレート、（ｃ）はベースシートの構成を示す平面図である。
【図６】電極線の構成を示す説明図である。
【図７】本考案の実施例２である点電極シートの構成を示す斜視図である。
【図８】電極線の変形例を示す説明図である。
【考案を実施するための形態】
【００１７】
以下、本考案の実施例を図面に基づいて詳細に説明する。
【実施例１】
【００１８】
図１は、本考案の実施例１である点電極シートの構成を示す斜視図、図２は、図１の点電極シートの断面図、図３は、図１の点電極シートの分解斜視図である。また、図４は、本考案の点電極シートの使用例を示す説明図である。図４に示すように、本考案による点電極シート１は２個１組（正極用１ａ，負極用１ｂ）にて使用され、リード線２１を介して低周波治療器２２に接続される。電極シート１には、低周波治療器２２より低周波電流が供給され、疼痛の緩和治療等が行われる。
【００１９】
図１〜３に示すように、点電極シート１は、絶縁性のバックシート２上に、金属製（例えば、銅）の電極プレート３と、絶縁性のベースシート４を重ねた構成となっている。図５（ａ）はベースシート４、図５（ｂ）は電極プレート３、図５（ｃ）はバックシート２の構成を示す平面図である。図５（ｃ）に示すように、バックシート２は、ゴム等の絶縁材にて長方形状に形成され、全体は平面状となっている。バックシート２は、他の電極プレート３やベースシート４と異なり、シート内に貫通孔は設けられていない。電極プレート３は、０.１〜０.３ｍｍ厚程度の銅板にて形成されており、バックシート２よりも小さな長方形状となっている。図５（ｂ）に示すように、電極プレート３には、中心線Ｏに沿って、４個の貫通孔１１ａと１個の貫通孔１１ｂが設けられている。
【００２０】
ベースシート４は、人工皮革やゴムなどの絶縁材にて長方形状に形成され、バックシート２と同様、平面状に形成されている。ベースシート４は、バックシート２と同寸法となっており、その内面４ａ側には、接着テープ１２が貼着されている。ベースシート４は、バックシート２上に電極プレート３を覆うように取り付けられ、接着テープ１２によって、バックシート２に貼着固定される。ベースシート４にも、中心線Ｏに沿って、４個の貫通孔１３が設けられている。貫通孔１３は、バックシート２上に電極プレート３を載置し、その上にベースシート４を取り付けたとき、電極プレート３の貫通孔１１ａと連通する。
【００２１】
本考案の点電極シート１では、電極プレート３に、電極線５とリード線２１が取り付けられている。図６は、電極線５の構成を示す説明図である。図６に示すように、電極線５には、直径０.１mmのステンレス鋼線が用いられており、全体が二重線となっている。電極線５自体はＬ字形となっており、Ｌ字の下辺部５ａが電極プレート３の裏面３ａにハンダ付けされている。また、Ｌ字の縦辺部５ｂは、貫通孔１１ａから、電極プレート３の表面３ｂ側に引き出されている。電極線５の先端部分５ｃはＵ字状となっており、使用者の肌に直接触れる部分は円形となっている。一方、電極プレート３の貫通孔１１ｂには、リード線２１の一端側がハンダ付けされる。リード線２１の他端側は、正負極のリード線２１（２１(＋),２１(−)）がまとめられた上でプラグ２３が取り付けられている。プラグ２３は、図４に示すように、低周波治療器２２の出力ジャック２４に接続される。
【００２２】
電極プレート３に固定された電極線５は、図２に示すように、ベースシート４の貫通孔１３を通り、ベースシート４の外側（図２おいて上方）に引き出される。ベースシート４上には、半球突起６（突起部材）が取り付けられており、電極線５は、この半球突起６内に収容される。半球突起６は、合成樹脂やゴム等の絶縁材にて、底面部の直径が１０mm程度の半球状に形成されており、その中央部には、電極取付孔１４が上下方向に貫通形成されている。電極取付孔１４は、直径約１ｍｍ程度に形成されており、その中には、電極線５が収容される。なお、図１以下の図面においては、点電極シート１の構成を明確に示すため、電極線５の太さや各シートの厚み等を実際よりも大きく記載している。
【００２３】
電極線５の先端部分５ｃは、半球突起６の頂部から０.３〜０.５ｍｍ程度突出している。電極線５は全体が二重線となっており、先端部分５ｃは、半球突起６からヘアピンカーブ状にＵ字形に突出する。点電極シート１では、電極線５が電極取付孔１４に遊嵌状態で収容されているため、先端部分５ｃは、図２において上下方向に弾性的に若干可動な状態となっている。このため、点電極シート１を、線材延伸方向とは直角方向（図２において紙面垂直方向）に移動させても、先端部分５ｃが倒れて曲がってしまうことがない。
【００２４】
このような点電極シート１は、前述のように、正・負極それぞれに１個ずつ使用される。正・負極の点電極シート１ａ,１ｂは、点電極シート１が皮膚に面するように、サージカルテープ等を用いて皮膚に貼り付けられる。この際、電極線５の先端部分５ｃが皮膚に接触し、これにより、皮膚と電極線５が電気的に接続された状態となる。各電極シート１には、リード線２１を介して、低周波治療器２２より低周波のパルス電流（又は直流電流）が供給される。
【００２５】
ここで、人間は、脳を中心として、体内にて様々な電気信号を発生させ、また、それをやり取りしながら生命活動を維持している。例えば、「見る」ということについては、色彩や立体感、明暗等にそれぞれの電気信号があり、「考える」ということについても、抽象的なことを考える、理論的に考えるなど、それぞれの電気信号ある。「痛み」についても、痛くないとか、鋭い痛みとか、体全体が痛い、などそれぞれの電気信号があり、人体内には数限りない種類の電気信号が存在する。このため、かかる人体内の電気信号が消失したり増減したりし、電気信号に異常が発生すると、人体には様々な病気や障害が生じる。
【００２６】
そこで、異常が生じた電気信号を元の正常な状態に回復させることで、電気信号の異常に起因する各種の病気や障害を治癒することが可能となる。この場合、電気信号の異常によって生じる病気や障害には、大きく分けて二つの原因がある。すなわち、（Ａ）脳又は脳への電気信号が全く流れない場合と、（Ｂ）脳又は脳への電気信号の流れが何らかの原因によって強いか弱い状態となっていたり、異常な電気信号が流れていたりする場合、の二つが考えられる。（Ａ）としては、例えば、交通事故等によって首から出ている神経が切断されると、上肢の運動に関する電気信号が流れなくなり、その上肢が麻痺してしまう場合や、網膜の異常により、明暗や色・立体を電気信号に変換できず、ものを見ることができなくなってしまう場合がある。また、（Ｂ）としては、例えば、脳からの空腹感の電気信号が強いと、いくら食べても満腹感が得られず食べ過ぎてしまう場合や、味覚が麻痺してしまう場合、脳の神経が力学的な圧迫を受け、その圧迫刺激が異常な電気信号となって下肢に流れ痛みが発生する場合などがある。
【００２７】
このような観点から、電気信号を導電する点電極治療では、（Ａ）関連では、電気信号が流れていない場合はこれを再生すべく導電したり、ある動作や現象を人体に起こさせるため、その動作等を起こす電気信号を導電したりする。また、（Ｂ）関連では、ある電気信号が弱ければそれを増幅して導電したり、異常な電気信号や強い電気信号が流れている場合には、それを打ち消したり抑制したりする電気信号を導電したりする。そこで、導電治療では、人の生命活動における各種様々な電気信号を調べ、その電気信号を治療に使用する。その際、点電極を用いた治療では、人体を傷付けることなく、体の表面から電気信号を流すことができ、電極の埋め込みや手術に比して、患者の負担を大きく減らすことが可能となる。また、体の麻痺など、薬によって治癒・緩解させることが難しい症状や障害にも対応することができ、治療範囲が拡大すると共に、莫大な開発費用を要する新薬の開発コストも削減可能となる。
【００２８】
本考案による点電極シート１も、このような電気信号の異常に対応すべく、「ある動作や現象を打ち消す、あるいは、抑制する電気信号」や「ある動作や現象を生じさせる電気信号」を、皮膚から人体へ直接供給する。例えば、腰痛や膝痛、筋肉痛等の神経因性疼痛は、痛みを感じる神経線維に何らかの刺激が加わり、神経線維に異常な電気信号が流れて痛みが感じられている状態であり、考案者の研究によれば、点電極シート１によって、２.５Ｈｚや５Ｈｚの低周波電流を流すことにより、これらの症状が緩解する。なお、肋間神経痛や歯痛、頭痛等の神経因性疼痛にも点電極シート１は有効であるが、短冊形の点電極シート１よりも単独の点電極の方が使い勝手が良い場合がある。
【００２９】
また、不眠症の治療には、覚醒していても眠りたくなるように、眠りの電気信号を送る。つまり、頭部の睡眠中枢に向けて、体表から、３種類の周波数の電気信号（レム睡眠やノンレム睡眠などの電気信号）を点電極シート１によって供給する。同様に、メニエール病や耳鳴りにも、点電極シート１による治療は有効である。
【００３０】
なお、点電極シート１による治療は、脳溢血による半身の不全麻痺にも有効である。この場合は、脳から発生する片側上肢、下肢の各部分の運動を指令する電気信号が弱いため、上肢、下肢をうまく動かすことができないと考えられる。そこで、不全麻痺側の上肢、下肢の運動を指令するかすかな電気信号を頭部に配したセンサにて捉え、これを増幅して、下肢や上肢に装着した点電極シート１に供給することにより、麻痺した側の上下肢を随意に動かすことが可能となる。
【００３１】
また、網膜等の障害により視覚がない場合にも、点電極シート１による治療は適用できる。この場合は、カメラによって対象物を捉え、その対象物を立体と認識する電気信号や、色彩の電気信号、遠近の電気信号等の様々な電気信号を対象物画像から作成し、これを頭部に装着した点電極シート１に供給することにより、目が不自由な人間の視覚を回復させることが可能となる。加えて、満腹を示す電気信号を点電極シート１によって供給することにより、肥満治療にも応用可能である。
【００３２】
このように、当該点電極シート１は、複数個の電極線５を１つのシート内に一体的に配置しているため、点電極シート１を１個取り付ければ、複数個の電極線５により、各種治療に必要十分な電流量を確保できる。前述のように、従来の点電極では、複数個の点電極を使用するため、煩雑な取り付け作業が必要となると共に、リード線の数が多くなり、点電極が取り扱いづらい上に、治療器周りが雑然としてしまうという問題がある。これに対し、本考案による点電極シート１では、患者に取り付けるシートは正負各１個で足り、多数の点電極を１つずつ着脱するという煩雑な作業が不要となる。また、リード線の数も２本に集約されるため、点電極の取り扱いが容易となり、治療器周りもスッキリと整理・整頓される。
【００３３】
また、従来の点電極では、電極装着の際に線材断面が皮膚に食い込み、痛みが生じたり、電極がずれると皮膚が傷付いたりするなどの問題があったが、本考案による点電極シート１では、電極線５は、皮膚との接触部分がＵ字形となっており、皮膚には線材断面のようなエッジや先鋭な部分は接触しない。すなわち、皮膚には円形線材が接触し、皮膚と電極線５との接触は極めてソフトである。このため、電極装着の際に使用者に痛みや刺激を与えることがなく、使用感が非常に良好となる。また、皮膚上に点電極シート１を装着後に、点電極シート１をずらしても、電極線５の先端部分５ｃが皮膚上を滑るように移動するため、痛みもなく、皮膚を傷付けることもない。
【実施例２】
【００３４】
次に、本考案の実施例２である点電極シート３１について説明する。図７は、点電極シート３１の構成を示す斜視図である。点電極シート３１では、正・負極の電極線５が１枚のシートにまとめられている。つまり、点電極シート３１には、正極を構成する電極線５(＋)と、正極を構成する電極線５(−)が、電気的に絶縁された状態で、２列並列に設けられている。この場合、バックシート２とベースシート４は、実施例１のものよりも大きく正方形状（例えば、４９ｍｍ×４９ｍｍ）に形成されている。また、電極プレート３は正極用・負極用の２枚配置されており（３(＋),３(−)）、それぞれにリード線２１（２１(＋),２１(−)）の一端側が接続されている。リード線２１の他端側は、実施例１の点電極シート１と同様に、正負極のリード線２１（２１(＋),２１(−)）がまとめられた上でプラグ２３が取り付けられている。
【００３５】
このような点電極シート３１は、例えば、指の関節のような狭い部位の治療に使用される。その際、点電極シート３１は指に巻き付けられ、サージカルテープ等によって固定される。このような狭い部位では、複数個の電極を個々に取り付けるのは手間が掛かり、的確な間隔で点電極を配置することが難しい。これに対し、本考案による点電極シート３１は、当該シートを巻き付けるだけで複数電極を正確に配置でき、治療効果の向上を図りつつ、電極着脱作業を簡易化することが可能となる。
【００３６】
本考案は前記実施例に限定されるものではなく、その要旨を逸脱しない範囲で種々変更可能であることは言うまでもない。
例えば、前記実施例におけるバックシート２等の寸法や線径等の各種数値はあくまでも一例であり、仕様に応じて適宜変更し得ることは言うまでもない。また、前述の実施例では、電極線５をＬ字形に形成した例を示したが、図８（ａ）のように、電極線５を逆Ｔ字形に形成しても良い。さらに、図８（ｂ）のように、電極線５の縦辺部５ｂのみを二重線とし、半球突起６からの突出部（先端部分５ｃ）はＵ字の二重線としつつ、下辺部５ａは単線化しても良い。この場合、縦辺部５ｂの切断端部は電極取付孔１４内に収容する。
【符号の説明】
【００３７】
１    点電極シート
１ａ  点電極シート（正極用）
１ｂ  点電極シート（負極用）
２    バックシート
３    電極プレート
３ａ  裏面
３ｂ  表面
４    ベースシート
４ａ  内面
５    電極線
５ａ  下辺部
５ｂ  縦辺部
５ｃ  先端部分
６    半球突起
１１ａ  貫通孔
１１ｂ  貫通孔
１２    接着テープ
１３    貫通孔
１４    電極取付孔
２１    リード線
２２    低周波治療器
２３    プラグ
２４    出力ジャック
３１    点電極シート
Ｏ      中心線
【図１】
0003171499.tif 000003
【図２】
0003171499.tif 000004
【図３】
0003171499.tif 000005
【図４】
0003171499.tif 000006
【図５】
0003171499.tif 000007
【図６】
0003171499.tif 000008
【図７】
0003171499.tif 000009
【図８】
0003171499.tif 000010